(57)【要約】【課題】充電装置を使用するユーザの感電に対する不安感を軽減する。【解決手段】制御装置（１００、１００ａ、１００ｂ）は、充電管理装置にケーブルを介して電気的に接続されると共に、充電対象物の端子部に嵌合可能な充電器プラグに設けられ、人体の接離を検出する検出手段（１１０）と、該検出手段による検出結果に基づいて、充電管理装置を制御する制御手段（１２０、１５０、１６０、１７０）と、を備える。【選択図】図１
2014204513.tif 000002
【特許請求の範囲】
【請求項１】
充電管理装置にケーブルを介して電気的に接続されると共に、充電対象物の端子部に嵌合可能な充電器プラグに設けられ、人体の接離を検出する検出手段と、
前記検出手段による検出結果に基づいて、前記充電管理装置を制御する制御手段と、
を備えることを特徴とする制御装置。
【請求項２】
前記制御手段は、前記検出手段により人体の前記充電器プラグへの接近が検出された場合に、前記充電器プラグに電力が供給されないように前記充電管理装置を制御することを特徴とする請求項１に記載の制御装置。
【請求項３】
前記制御手段は、前記検出手段により人体が前記充電器プラグから離れたことが検出された場合に、前記充電器プラグへの電力供給が可能となるように前記充電管理装置を制御する。
【発明の詳細な説明】
【技術分野】
【０００１】
本発明は、制御装置に関し、特に、充電対象物の端子部に嵌合するプラグを有し、該プラグを介して、該充電対象物を充電可能な充電装置の制御装置の技術分野に関する。
【背景技術】
【０００２】
この種の装置として、例えば、スリーブを回転させることにより、車両側コネクタに対して係合・離脱可能な電源側コネクタを備える装置が提案されている。ここでは特に、電源側コネクタに人の接触を検出して動作するタッチセンサを設け、該タッチセンサに人が接触すると、電源側コネクタへの電力供給が遮断されると共に、スリーブの回転を阻止する電磁ソレノイドへの電力供給が遮断され、スリーブのロックが解除される技術が開示されている（特許文献１参照）。
【先行技術文献】
【特許文献】
【０００３】
【特許文献１】特開平９−１０６８６１号公報
【発明の概要】
【発明が解決しようとする課題】
【０００４】
しかしながら上述の背景技術では、電源側コネクタに電力が供給されている状態で、ユーザがタッチセンサに触れなければならず、ユーザの感電に対する不安感をなくす又は軽減することが困難になる可能性があるという技術的問題点がある。
【０００５】
本発明は、上記問題点に鑑みてなされたものであり、ユーザの感電に対する不安感を軽減することができる制御装置を提供することを課題とする。
【課題を解決するための手段】
【０００６】
請求項１に記載の制御装置は、上記課題を解決するために、充電管理装置にケーブルを介して電気的に接続されると共に、充電対象物の端子部に嵌合可能な充電器プラグに設けられ、人体の接離を検出する検出手段と、前記検出手段による検出結果に基づいて、前記充電管理装置を制御する制御手段と、を備える。
【０００７】
本発明の作用及び他の利得は次に説明する実施するための形態から明らかにされる。
【図面の簡単な説明】
【０００８】
【図１】第１実施例に係る制御装置の構成を示す概念図である。
【図２】第１実施例に係る制御装置の構成を示すブロック図である。
【図３】第２実施例に係る制御装置の構成を示すブロック図である。
【図４】第３実施例に係る制御装置の構成を示すブロック図である。
【発明を実施するための形態】
【０００９】
本発明の制御装置に係る実施形態について説明する。
【００１０】
実施形態に係る制御装置は、例えば電気自動車等に搭載されたバッテリを充電可能な充電装置に取り付けられる。
【００１１】
充電装置は、例えば充電処理を制御するための制御回路等を有する充電管理装置と、該充電管理装置にケーブルを介して電気的に接続された充電器プラグと、を備えて構成されている。充電器プラグは、例えば電気自動車等の充電対象物の端子部（例えば“充電口”等）に嵌合可能に構成されている。尚、充電装置自体の構成については、公知の各種態様を適用可能であるので、その詳細についての説明は、ここでは割愛する。
【００１２】
当該制御装置は、充電器プラグに設けられ、人体の接離（即ち、近づくこと及び離れること）を検出する検出手段と、該検出手段による検出結果に基づいて、充電装置の充電管理装置を制御する制御手段と、を備えて構成されている。
【００１３】
具体的には、検出手段により人体の充電器プラグへの接近が検出された場合、制御手段は、充電器プラグに電力が供給されないように充電管理装置を制御する。他方、検出手段により人体が充電器プラグから離れたことが検出された場合、制御手段は、充電器プラグへの電力供給が可能となるように充電管理装置を制御する。
【００１４】
検出手段には、例えば焦電センサ、光センサ、画像認識装置等を適用可能である。例えば木の葉やごみ等の異物により誤動作する可能性の低い、焦電センサを検出手段として用いることが望ましい。或いは、異物に加えて動物による誤動作を防止することができる画像認識装置を用いることが望ましい。
【００１５】
本実施例に係る制御装置によれば、上述の如く、人体の接近が検出された場合には、充電器プラグへの電力供給が停止されるので、ユーザの感電に対する不安感を軽減することができる。
【実施例】
【００１６】
本発明の制御装置に係る実施例について、図面に基づいて説明する。
【００１７】
＜第１実施例＞
本発明の制御装置に係る第１実施例について、図１及び図２を参照して説明する。図１は、第１実施例に係る制御装置の構成を示す概念図である。図２は、第１実施例に係る制御装置の構成を示すブロック図である。
【００１８】
図１において、先ず、充電装置は、充電管理装置と、該充電管理装置に充電ケーブルを介して電気的に接続された充電器プラグと、を備えて構成されている。
【００１９】
制御装置１００は、接近検知装置１１０と、充電管理装置内に設けられた充電制御回路１２０と、接近検知装置１１０及び充電制御回路１２０における信号のやり取りを行う通信手段１３０と、を備えて構成されている。制御装置１００は、更に、接近検知手段１１０に電力を供給する接近検知装置電源１４０と、充電制御回路１２０に対して割り込み信号を送信可能な割り込み手段１５０と、を備えて構成されている（図２参照）。
【００２０】
尚、通信手段１３０は、本実施例では、接近検知装置１１０と充電制御回路１２０とを相互に接続するケーブルであるが、該ケーブルに代えて、無線通信装置により構成されていてよい。また、接近検知装置１１０へは、接近検知装置電源１４０の代わりに、充電管理装置から電力が供給されてよい。
【００２１】
充電管理装置の充電指示手段（例えば、充電開始スイッチ等）（図２参照）がユーザにより操作されると、充電指示手段から充電制御回路１２０に対して充電指示を示す信号が送信される。充電制御回路１２０は、該充電指示に応じて、充電器プラグへの電力供給が可能となるように充電管理装置を制御する。
【００２２】
接近検知装置１１０から人体の接近を示す信号が出力された場合、割り込み手段１５０は、充電制御回路１２０に対して、充電停止信号を割り込み信号として送信する。充電制御回路１２０は、充電停止信号を優先するので、該充電停止信号に応じて、充電器プラグに電力が供給されないように充電管理装置を制御する。他方、接近検知装置１１０から人体が離れたことを示す信号が出力された場合、割り込み手段１５０は、充電停止信号の送信を停止する。この結果、充電指示手段から出力された充電指示を示す信号に応じて、充電制御回路１２０は、充電器プラグへの電力供給が可能となるように充電管理装置を制御する。この場合、充電が自動的に再開されてもよいし、ユーザが充電指示手段を操作することにより充電が再開されてもよい。
【００２３】
接近検知装置１１０により人体の接近が検出されたときに、充電器プラグへの電力供給を停止することができるのでユーザの不安感を軽減することができる。
【００２４】
本実施例に係る「接近検知装置１１０」は、本発明に係る「検出手段」の一例である。本実施例に係る「充電制御回路１２０」及び「割り込み手段１５０」は、本発明に係る「制御手段」の一例である。
【００２５】
＜第２実施例＞
本発明の制御装置に係る第２実施例について、図３を参照して説明する。第２実施例では、制御装置の構成が一部異なる以外は、第１実施例の構成と同じであるので、第１実施例と重複する説明は適宜省略すると共に、図面における共通箇所には同一符号を付して示し、第１実施例と異なる部分についてのみ図３を参照して説明する。図３は、第２実施例に係る制御装置の構成を示すブロック図である。
【００２６】
図３において、制御装置１００ａは、接近検知装置１１０、充電制御回路１２０、通信手段１３０、接近検知装置電源１４０及び充電遮断手段１６０を備えて構成されている。
【００２７】
例えばスイッチ素子、リレー回路等である充電遮断手段１６０は、充電制御回路１２０及び充電ケーブル間の電気的な接続を遮断可能に構成されている。充電遮断手段１６０により、充電制御回路１２０及び充電ケーブル間の電気的な接続が遮断されると、充電器プラグへの電力供給が遮断される。
【００２８】
接近検知装置１１０が人体の接近を検知した場合、該接近検知装置１１０は、充電遮断手段１６０に対して充電停止信号を送信する。該充電停止信号を受信した充電遮断手段１６０は、充電制御回路１２０及び充電ケーブル間の電気的な接続を遮断する。他方、接近検知装置１１０が人体が離れたことを検知した場合、該接近検知装置１１０は、充電遮断手段１６０に対する充電停止信号の送信を停止する。この結果、充電遮断手段１６０は、充電制御回路１２０及び充電ケーブル間を電気的に接続する。
【００２９】
本実施例に係る制御装置１００ａによれば、万が一充電装置に不具合が発生した場合であっても、接近検知装置１１０により人体の接近が検出されたときに、充電器プラグへの電力供給を確実に停止することができる。
【００３０】
尚、接近検知装置１１０から充電制御回路１２０に充電停止信号が送信され、該充電停止信号を受信した充電制御回路１２０が、充電制御回路１２０及び充電ケーブル間の電気的な接続を遮断するように充電遮断手段１６０を制御してもよい。
【００３１】
本実施例に係る「充電遮断手段１６０」は、本発明に係る「制御手段」の一例である。
【００３２】
＜第３実施例＞
本発明の制御装置に係る第３実施例について、図４を参照して説明する。第３実施例では、制御装置の構成が一部異なる以外は、第１実施例の構成と同じであるので、第１実施例と重複する説明は適宜省略すると共に、図面における共通箇所には同一符号を付して示し、第１実施例と異なる部分についてのみ図４を参照して説明する。図４は、第３実施例に係る制御装置の構成を示すブロック図である。
【００３３】
図４において、制御装置１００ｂは、接近検知装置１１０、充電制御回路１２０、通信手段１３０、接近検知装置電源１４０及び電源遮断手段１７０を備えて構成されている。
【００３４】
例えばスイッチ素子、リレー回路等である電源遮断手段１７０は、充電制御回路１２０及び電源間の電気的な接続を遮断可能に構成されている。電源遮断手段１７０により、充電制御回路１２０及び電源間の電気的な接続が遮断されると、充電管理装置への電力供給が遮断される。
【００３５】
尚、電源遮断手段１７０へは接近検知装置電源１４０から電力が供給されるので、充電制御回路１２０及び電源間の電気的な接続が遮断されたとしても、接近検知装置１１０及び電源遮断手段１７０は、何ら問題なく動作する。
【００３６】
充電管理装置に設けられた充電状態記憶部は、充電が実行されている間、充電に係る物理量及び／又はパラメータ等を含む充電情報を逐次記憶する。
【００３７】
接近検知装置１１０が人体の接近を検知した場合、該接近検知装置１１０は、電源遮断手段１７０に対して充電停止信号を送信する。該充電停止信号を受信した電源遮断手段１７０は、充電制御回路１２０及び電源間の電気的な接続を遮断する。他方、接近検知装置１１０が人体が離れたことを検知した場合、該接近検知装置１１０は、電源遮断手段１７０に対する充電停止信号の送信を停止する。この結果、電源遮断手段１７０は、充電制御回路１２０及び電源間を電気的に接続する。
【００３８】
充電中に充電制御回路１２０及び電源間の電気的な接続が遮断された後、充電制御回路１２０及び電源間が再度電気的に接続された場合、制御状態記憶部に記憶された充電情報に基づいて、充電が再開される。
【００３９】
本実施例に係る制御装置１００ｂによれば、万が一充電装置に不具合が発生した場合であっても、接近検知装置１１０により人体の接近が検出されたときに、充電器プラグへの電力供給を確実に停止することができる。
【００４０】
本実施例に係る「電源遮断手段１７０」は、本発明に係る「制御手段」の一例である。
【００４１】
本発明は、上述した実施形態に限られるものではなく、特許請求の範囲及び明細書全体から読み取れる発明の要旨或いは思想に反しない範囲で適宜変更可能であり、そのような変更を伴う制御装置もまた本発明の技術的範囲に含まれるものである。
【符号の説明】
【００４２】
１００、１００ａ、１００ｂ…制御装置、１１０…接近検知装置、１２０…充電制御回路、１３０…通信手段、１４０…接近検知装置電源、１５０…割り込み手段、１６０…充電遮断手段、１７０…電源遮断手段
【図１】
2014204513.tif 000003
【図２】
2014204513.tif 000004
【図３】
2014204513.tif 000005
【図４】
2014204513.tif 000006